(57)【特許請求の範囲】
【請求項１】
凹部と、前記凹部より外方側であって且つ前記凹部の上面より高い位置に上面が設けられた縁部と、を有する硬質の基材層と、
前記基材層の上に積層され、クッション性を有すると共に少なくとも表面が耐水性を有するクッション層と、
前記基材層と前記クッション層との間に水が浸入することを防止するために、前記クッション層の周縁部をシーリング材で水密的にシールするシール部と、を備えた浴室用洗い場床であって、
前記クッション層は、浴室内側に設けられ前記縁部の上面に積層される周縁部と、前記凹部の上面に積層されて前記凹部内に収容されるクッション部とを有し、
前記周縁部は、前記クッション層の周縁裏面側を凹ませて形成されて前記クッション部よりも厚みが薄く鉛直方向の変形量が極めて小さく、
前記シール部は、前記凹部より外方側の前記縁部上に配置される前記クッション層の前記周縁部に設けたことを特徴とする浴室用洗い場床。
【請求項２】
前記縁部の上面に積層される前記クッション層の前記周縁部の厚みは、鉛直方向にほとんど弾性変形しない程度の厚みであることを特徴とする請求項１記載の浴室用洗い場床。
【請求項３】
前記縁部の上面に積層される前記クッション層の前記周縁部に、１００Ｎ／ｃｍ２の荷重を加えた際の鉛直方向の変形量は、０．５ｍｍ〜２．０ｍｍであることを特徴とする請求項１または２に記載の浴室用洗い場床。
【請求項４】
前記シール部の外方側近傍には、浴室壁パネルを載置するための壁パネル載置部が設けられており、
前記シーリング材は、前記クッション層の前記周縁部と前記基材層との間、および前記壁パネルと前記基材層との間を兼用して水密的にシールすることを特徴とする請求項１〜３のいずれか１つに記載の浴室用洗い場床。
【請求項５】
前記シール部の外方側には、浴室壁パネルを載置するための壁パネル載置部が設けられており、
前記壁パネルと前記基材層との間をシーリング材で水密的にシールする第二シール部を設けたことを特徴とする請求項１〜３のいずれか１つに記載の浴室用洗い場床。
【請求項６】
前記基材層の一体成形により、前記凹部と前記縁部とが一体に形成されたことを特徴とする請求項１〜５のいずれか１つに記載の浴室用洗い場床。
【請求項７】
前記基材層はフラットな上面部を有し、
前記縁部は、前記上面部の上に設けられ前記上面部とは別体の硬質な縁部材であることを特徴とする請求項１〜５のいずれか１つに記載の浴室用洗い場床。
【請求項８】
硬質の基材層と、
前記基材層の上面に積層され、クッション性を有すると共に少なくとも表面が耐水性を有するクッション層と、
前記基材層と前記クッション層との間に水が浸入することを防止するために、前記クッション層の周縁部をシーリング材で水密的にシールするシール部と、を備えた浴室用洗い場床であって、
前記クッション層は、クッション部と、前記クッション部よりも鉛直方向の変形量が極めて小さい硬質の周縁部とを有し、
前記シール部は、前記クッション部より外方側に配置される前記周縁部に設けたことを特徴とする浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室洗い場床が開示されている。また、特許文献２には、ゴム弾性体の内部に液収容空所を形成してなるクッション材を固定状態に設置した上、液収容空所に、水、湯等の液を収容して洗い場床を構築した構造が開示されている。
【特許文献１】特開２００１−２４５８１４号公報
【特許文献２】特開平９−１２２０２８号公報
【発明の開示】
【発明が解決しようとする課題】
【０００３】
一般に、クッション層は荷重を支えるのに十分な強度を確保しにくく、クッション層とは別に、荷重を支えるための強度を担保する基材が必要となる。その場合、基材とクッション層との間に水が浸入すると、クッション層が濡れてクッション性が悪化したり、カビが発生するおそれがあるため、クッション層の周縁部をシリコンや目地などのシーリング材で水密にシールすることが必要となる。
【０００４】
クッション層は、洗い場床面上から荷重がかかると、上下方向に伸び縮み（可動）するものであるが、クッション層の周縁部も同様に上下方向に伸び縮みしてしまうと、その部分に設けたシリコンが切れたり、目地が外れてしまい、水密性が損なわれたり、見栄えが悪くなる問題が懸念される。
【０００５】
本発明は上述の問題に鑑みてなされ、洗い場床に柔らかさを付与しつつ、且つ、基材層とクッション層との間に水が浸入しないようにするためのシーリング材が、長期に使用しても切れたり外れたりすることのない浴室用洗い場床を提供する。
【課題を解決するための手段】
【０００６】
本発明の一態様によれば、凹部と、前記凹部より外方側であって且つ前記凹部の上面より高い位置に上面が設けられた縁部と、を有する硬質の基材層と、前記基材層の上に積層され、クッション性を有すると共に少なくとも表面が耐水性を有するクッション層と、前記基材層と前記クッション層との間に水が浸入することを防止するために、前記クッション層の周縁部をシーリング材で水密的にシールするシール部と、を備えた浴室用洗い場床であって、前記クッション層は、浴室内側に設けられ前記縁部の上面に積層される周縁部と、前記凹部の上面に積層されて前記凹部内に収容されるクッション部とを有し、前記周縁部は、前記クッション層の周縁裏面側を凹ませて形成されて前記クッション部よりも厚みが薄く鉛直方向の変形量が極めて小さく、前記シール部は、前記凹部より外方側の前記縁部上に配置される前記クッション層の前記周縁部に設けたことを特徴とする浴室用洗い場床が提供される。
【０００７】
また、本発明の他の一態様によれば、硬質の基材層と、前記基材層の上面に積層され、クッション性を有すると共に少なくとも表面が耐水性を有するクッション層と、前記基材層と前記クッション層との間に水が浸入することを防止するために、前記クッション層の周縁部をシーリング材で水密的にシールするシール部と、を備えた浴室用洗い場床であって、前記クッション層は、クッション部と、前記クッション部よりも鉛直方向の変形量が極めて小さい硬質の周縁部とを有し、前記シール部は、前記クッション部より外方側に配置される前記周縁部に設けたことを特徴とする浴室用洗い場床が提供される。
【発明の効果】
【０００８】
本発明によれば、洗い場床に柔らかさを付与しつつ、且つ、基材層とクッション層との間に水が浸入しないようにするためのシーリング材が、長期に使用しても切れたり外れたりすることのない浴室用洗い場床が提供される。
【発明を実施するための最良の形態】
【０００９】
浴室の洗い場床に柔らかさを付与するために、弾性変形可能なクッション性を有する材料で洗い場床を構成することが考えられるが、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積にわたって用いるのは好ましくない。
【００１０】
したがって、発泡体を洗い場床におけるクッション層として設けた場合、少なくとも浴室内側に露出する表面には耐水性などのユニットバスの基本性能を満足する材料を用いる必要がある。
【００１１】
前述したような特性を満足するべく構成されたクッション層は荷重を支えるのに十分な強度を確保しにくく、クッション層とは別に、荷重を支えるための強度がクッション層よりも大きな基材層が必要となる。すなわち、洗い場床に柔らかさを付与しつつ、洗い場床として求められる最低限の基本性能を確保するためには少なくとも基材層とクッション層とを組み合わせた構造にすることが望ましい。
【００１２】
その場合、基材層とクッション層との間に水が浸入すると、クッション層が濡れてクッション性が悪化したり、カビが発生するおそれがあるため、クッション層の周縁部はシリコンや目地などのシーリング材で水密にシールすることが必要となる。
【００１３】
クッション層は、洗い場床面上から荷重がかかると、上下方向に伸び縮み（可動）するものであるが、クッション層の周縁部も同様に上下方向に伸び縮みしてしまうと、その部分に設けたシリコンが切れたり、目地が外れてしまい、水密性が損なわれたり、見栄えが悪くなる問題が懸念される。そこで、以下に説明する本発明実施形態では、洗い場床に柔らかさを付与しつつ、且つ、基材層とクッション層との間に水が浸入しないようにするためのシーリング材が長期に使用しても切れたり外れたりすることのない浴室用洗い場床を提供する。
【００１４】
［第１の実施形態］
図１は、本発明の第１の実施形態に係る浴室用洗い場床の模式断面図である。
【００１５】
本実施形態に係る洗い場床は、硬質の基材層１と、基材層１の上に積層されたクッション性を有するクッション層３とを備える。
【００１６】
基材層１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００１７】
基材層１には縦断面視で凹状に形成される凹部２が設けられている。凹部２は基材層１の上面視における大部分の面積を占め、凹部２より外方側には凹部２の上面（底面）よりも一段高くされた縁部６が設けられている。
【００１８】
図２は基材層１の模式平面図を示し、基材層１の一部には排水ピット１５が開口形成されている。縁部６は、凹部２の全周（凹部２と排水ピット１５との間も含む）を囲むように設けられている。縁部６よりも外方側であって基材層１の最外縁部には、上方に立ち上がった水返し壁として機能する側壁部８が設けられている。このように、排水ピット１５は縁部６より外方側に形成されており、側壁部８は排水ピット１５の更に外方側に形成されている。
【００１９】
基材層１は硬質材（例えばＦＲＰ）を熱間成型することにより一体成形され、よって、凹部２、縁部６および側壁部８は一体に形成される。
【００２０】
クッション層３は、クッション性を有すると共に少なくとも浴室内側に露出する表面が耐水性を有する。例えば、型内発泡のモールド体は緻密なスキン層が得られ、その緻密なスキン層によって表面に耐水性を付与しつつ、クッション性も有する構造が可能である。
【００２１】
クッション層３における浴室内側の周縁部４ｂ以外の大部分（クッション部４ａ）は、基材層１の凹部２に収容され、その凹部２の上面（底面）に例えば両面テープ等の接着剤により接着固定される。凹部２に収容されたクッション部４ａは、弾性変形可能であり、例えばウレタン等の発泡体からなる。なお、クッション層３は弾性変形可能なゴム材であっても構わないが、ゴム臭のない発泡体の方が気密性の高い浴室の洗い場床として利用するには好ましい。
【００２２】
クッション層３の表面は、浴室内に露出し、使用者が触れたり、湯水にさらされる面となるため、耐水性、耐薬品性、耐衝撃性を有し、また下層のクッション部４ａの弾性変形に追従可能な可撓性を有する。
【００２３】
また、図３に示すように、クッション層３の表面には排水口または排水流し溝に連続して形成される溝３ａが形成されている。この溝３ａは、クッション層３の表面上を排水口に向けて流れる湯水の排水流路として機能する。この溝３ａは、排水口または排水流し溝まで水を途切れることなく連続的に存在させることが可能な排水流路となっている。この溝３ａによって、翌朝には、洗い場床面上に大きな水玉が残ることなく洗い場床面上を乾燥させることが可能となる。また、この溝３ａが洗い場床表面にあることで、洗い場床表面に凹凸が形成され、洗い場床面が滑りにくくなる効果も得られる。
【００２４】
クッション層３において浴室内側に設けられる周縁部４ｂは、クッション部４ａを介さずに基材層１の縁部６の上面に積層される。周縁部４ｂは、例えば接着剤で基材層１の縁部６の上面に接着固定される。
【００２５】
周縁部４ｂは、クッション部４ａよりも厚みが薄いため鉛直方向の変形量が極めて小さく、具体的には、周縁部４ｂの厚みを、鉛直方向にほとんど弾性変形しない程度の厚み（８ｃｍ以下、好ましくは５ｃｍ以下、より好ましくは２ｃｍ以下）とすることで、周縁部４ｂに１００Ｎ／ｃｍ２の荷重を加えた際の鉛直方向の変形量を０．５ｍｍ〜２．０ｍｍに抑えている。このように、クッション部４ａと周縁部４ｂとを有するクッション層３は、浴室内側に面する表面が１／５０程度の僅かな排水勾配を有する平面から形成されている。一方、裏面はクッション部４ａが周縁部４ｂより厚く形成されている。
【００２６】
基材層１とクッション層３の積層構造を得るにあたっては、それらを一体に熱間成型することにより相互に溶着固定させてもよいし（インサート成形）、基材層１の成型加工後に、その凹部２の上面（底面）に対してクッション層３を例えば両面テープ等の接着剤を用いて貼り付けてもよい。
【００２７】
本実施形態に係る洗い場床はクッション層３を備えるので、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００２８】
基材層１の凹部２より外方側に配置されるクッション層３の周縁部４ｂには、クッション層３と基材層１との間に水が浸入することを防止するために、周縁部４ｂを例えばシリコンや目地部材等のシーリング材１１で水密的にシールするシール部１０が設けられている。
【００２９】
このシーリング材１１が設けられたクッション層３の周縁部４ｂは、クッション部４ａを介さずに硬質の基材層１の縁部６に接着固定さているため、その周縁部４ｂに荷重がかかっても厚さ方向（鉛直方向）に大きく撓むことがなく、また撓むことがないため、撓んだ（沈み込んだ）状態から上方に大きく復元することもない。すなわち、周縁部４ｂが上下に大きく変動することがない。したがって、その周縁部４ｂに設けられたシーリング材１１を引っ張ったり、浮き上がらせるような大きな応力が作用せず、シーリング材１１が切れたり、外れたりすることがない。この結果、シール性及び見栄えを損ねない。
【００３０】
硬質の縁部６の上にクッション部４ａを介さずに周縁部４ｂを接着させた部分は、洗い場床の縁部全周にわたって設けてもよいし、あるいはシール切れの対策上特に必要とされる部分にのみ設けてもよい。ここで、「特に必要とされる部分」とは、洗い場床において使用者によって踏まれる頻度の高い縁部であり、例えば出入口部や排水口の周囲などの縁部である。逆に言えば、使用者によって踏まれにくく荷重がかかる心配が少ない例えばカウンター下の縁部などには上記構造を採用せずに、シーリング材１１の近傍にクッション部４ａが存在する構造としてもよい。
【００３１】
本実施形態によれば、洗い場床に柔らかさを付与しつつ、且つ、基材層１とクッション層３との間に水が浸入しないようにするためのシーリング材１１が、長期に使用しても切れたり外れたりすることのない洗い場床を提供することができる。
【００３２】
シール部１０の外方側には浴室壁パネル５０を載置するための壁パネル載置部６ａが設けられている。基材層１の縁部６の上面において、シール部１０と側壁部８との間の部分が壁パネル載置部６ａとして機能する。
【００３３】
シーリング材１１は、クッション層３の周縁部４ｂと基材層１との間、および壁パネル５０と基材層１との間を兼用して水密的にシールする。シーリング材１１は、浴室全体の意匠性を損ねてしまうという問題と、シーリング材１１にカビなどの汚れが付着して意匠性を損ねてしまうという問題と、シリコンが切れたり、目地部材が外れたりするという問題があるため、極力、少なくすることが求められる。本実施形態では、クッション層３の周縁部４ｂと基材層１との間のシールと、壁パネル５０と基材層１との間のシールとを、同じ１箇所のシール部１０で行うため一つのシーリング材１１を兼用でき、シーリング材１１が１個で済み、上記問題を抑制できる。
【００３４】
壁パネル５０は、硬質の縁部６の一部分である壁パネル載置部６ａの上に載置され、クッション層３の上に載置されていないため、クッション層３のメンテナンス（交換）の際に浴室ユニットを解体しなくても済む。また、クッション層３の弾性変形によって壁パネル５０が傾くなどして、壁パネル５０及びその上の天井パネルの支持が不安定になることがない。
【００３５】
［第２の実施形態］
図４は、本発明の第２の実施形態に係る浴室用洗い場床の模式断面図である。
【００３６】
本実施形態に係る洗い場床も、硬質の基材層２１と、基材層２１の上に積層されたクッション性を有するクッション層３とを備える。本実施形態では、クッション層３は前述した第１の実施形態と同様に構成されるが、基材層２１が第１の実施形態と異なる。
【００３７】
基材層２１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００３８】
基材層２１は、浅底パン状の基材部２２と、この基材部２２の上面部（底面部）２２ａ上に、基材部２２とは別体として設けられた縁部材２３とを有する。この縁部材２３は、上記第１の実施形態における縁部６に対応し、縁部材２３はクッション層３よりも硬質な材料からなる。また、基材部２２の最外縁部には、上方に立ち上がった水返し壁として機能する側壁部２４が設けられている。
【００３９】
基材部２２の上面部２２ａの上面はフラットに形成され、その上面における側壁部２４近傍の縁部に、縁部材２３が接着固定または溶着固定されている。縁部材２３は、前述した第１の実施形態の縁部６と同様に、洗い場床の縁部全周にわたって設けてもよいし、あるいはシール切れの対策上特に必要とされる部分（出入口部や排水口の周囲など）にのみ設けてもよい。
【００４０】
縁部材２３の内側に凹部２５が設けられている。縁部材２３は凹部２５の側壁として機能し、縁部材２３の上面は、凹部２５の上面（底面）よりも一段高くされている。
【００４１】
クッション層３のクッション部４ａは、凹部２５に収容され、凹部２５の上面（底面）に例えば両面テープ等の接着剤により接着固定される。クッション層３の周縁部４ｂは、クッション部４ａを介さずに縁部材２３の上面に積層され接着固定される。
【００４２】
凹部２５より外方側に配置されるクッション層３の周縁部４ｂには、クッション層３と、基材層２１の縁部材２３との間に水が浸入することを防止するために、周縁部４ｂを例えばシリコンや目地部材等のシーリング材３１で水密的にシールするシール部３０が設けられている。
【００４３】
このシーリング材３１が設けられたクッション層３の周縁部４ｂは、クッション部４ａを介さずに硬質の縁部材２３に接着固定さているため、その周縁部４ｂに荷重がかかっても厚さ方向（鉛直方向）に大きく撓むことがなく、また撓むことがないため、撓んだ（沈み込んだ）状態から上方に大きく復元することもない。すなわち、周縁部４ｂが上下に大きく変動することがない。したがって、その周縁部４ｂに設けられたシーリング材３１を引っ張ったり、浮き上がらせるような大きな応力が作用せず、シーリング材３１が切れたり、外れたりすることがない。この結果、シール性及び見栄えを損ねない。
【００４４】
したがって、本実施形態においても、洗い場床に柔らかさを付与しつつ、且つ、基材層２１とクッション層３との間に水が浸入しないようにするためのシーリング材３１が、長期に使用しても切れたり外れたりすることのない洗い場床を提供することができる。
【００４５】
また、本実施形態では、第１の実施形態の基材層１のように上面部（底面部）と一体に縁部に段を設けた構造ではなく、シンプルな浅底パン形状の基材部２２に対して別体で縁部材２３を設けた構造であるため、既存の浴室ユニットを解体して洗い場床を交換することなく、既存の洗い場床パンをそのまま流用でき、容易に本実施形態の構造を適用可能である。
【００４６】
また、シール部３０の外方側には壁パネル５０を載置するための壁パネル載置部２２ｂが設けられている。基材部２２の上面部２２ａの上面において、縁部材２３が設けられた部分と側壁部２４との間の部分が壁パネル載置部２２ｂとして機能する。
【００４７】
シーリング材３１は、クッション層３の周縁部４ｂと基材層縁部材２３との間、および壁パネル５０と縁部材２３との間を兼用して水密的にシールする。シーリング材３１は、浴室全体の意匠性を損ねてしまうという問題と、シーリング材３１にカビなどの汚れが付着して意匠性を損ねてしまうという問題と、シリコンが切れたり、目地部材が外れたりするという問題があるため、極力、少なくすることが求められる。本実施形態においても、クッション層３の周縁部４ｂと縁部材２３との間のシールと、壁パネル５０と縁部材２３との間のシールとを、同じ１箇所のシール部３０で行うため一つのシーリング材３１を兼用でき、シーリング材３１が１個で済み、上記問題を抑制できる。
【００４８】
壁パネル５０は、硬質の基材部２２の一部分である壁パネル載置部２２ｂの上に載置され、クッション層３の上に載置されていないため、クッション層３のメンテナンス（交換）の際に浴室ユニットを解体しなくても済む。また、クッション層３の弾性変形によって壁パネル５０が傾くなどして、壁パネル５０及びその上の天井パネルの支持が不安定になることがない。
【００４９】
［第３の実施形態］
図５は、本発明の第３の実施形態に係る浴室用洗い場床の模式断面図である。なお、前述した図４に示す第２の実施形態と同様の構成要素には同じ符号を付しその詳細な説明は省略する。
【００５０】
本実施形態においても、第２の実施形態と同様、浅底パン状の基材部２２の上面部（底面部）２２ａ上に、基材部２２とは別体に硬質の縁部材２６が設けられ、この縁部材２６の内側に凹部２５が形成されている。
【００５１】
そして、クッション層３の周縁部４ｂは、クッション部４ａを介さずに縁部材２６における内周側部分の上面に積層され接着固定されている。その周縁部４ｂには、クッション層３と、基材層２１の縁部材２６との間に水が浸入することを防止するために、周縁部４ｂを例えばシリコンや目地部材等のシーリング材４３で水密的にシールする第一シール部４２が設けられている。
【００５２】
このシーリング材４３が設けられた周縁部４ｂは、クッション部４ａを介さずに硬質の縁部材２６に接着固定さているため、その周縁部４ｂに荷重がかかっても厚さ方向（鉛直方向）に大きく撓むことがなく、また撓むことがないため、撓んだ（沈み込んだ）状態から上方に大きく復元することもない。すなわち、周縁部４ｂが上下に大きく変動することがない。したがって、その周縁部４ｂに設けられたシーリング材４３を引っ張ったり、浮き上がらせるような大きな応力が作用せず、シーリング材４３が切れたり、外れたりすることがない。
【００５３】
したがって、本実施形態においても、洗い場床に柔らかさを付与しつつ、且つ、基材層２１とクッション層３との間に水が浸入しないようにするためのシーリング材４３が、長期に使用しても切れたり外れたりすることのない洗い場床を提供することができる。
【００５４】
基材部２２の上面部２２ａの上面において、縁部材２６が設けられた部分と側壁部２４との間の部分は、壁パネル５０が載置される壁パネル載置部２２ｂとして機能する。第一シール部４２より外方側には、壁パネル５０と縁部材２６との間に水が浸入することを防止するために、その部分を例えばシリコンや目地部材等のシーリング材４１で水密的にシールする第二シール部４０が設けられている。すなわち、本実施形態は、クッション層３の周縁部４ｂと基材層縁部材２６との間、および壁パネル５０と縁部材２６との間のシールを兼用させていない点で上記第２の実施形態と異なる。
【００５５】
［第４の実施形態］
図６は、本発明の第４の実施形態に係る浴室用洗い場床の模式断面図である。なお、前述した実施形態と同様の構成要素には同じ符号を付しその詳細な説明は省略する。
【００５６】
本実施形態に係る洗い場床は、硬質の基材層２１と、基材層２１の上面に積層されたクッション性を有するクッション層３とを備える。
【００５７】
基材層２１は、浅底パン状の基材部２２と、その最外縁部に設けられ上方に立ち上がった水返し壁として機能する側壁部２４とを有する。
【００５８】
クッション層３は、弾性変形可能であり例えばウレタン等の発泡体からなるクッション部４ａと、クッション部４ａの外周側に設けられクッション部４ａよりも鉛直方向の変形量が極めて小さい硬質の周縁部１４とを有する。
【００５９】
基材部２２の上面部２２ａの上面（凹部２５の底面部）はフラットに形成され、その上にクッション層３が例えば両面テープ等の接着剤により接着固定されている。なお、クッション層３の硬質な周縁部１４は、前述した第１の実施形態の縁部６と同様に、洗い場床の縁部全周にわたって設けてもよいし、あるいはシール切れの対策上特に必要とされる部分（出入口部や排水口の周囲など）にのみ設けてもよい。
【００６０】
クッション部４ａより外方側に配置される周縁部１４には、クッション層３と、基材層２１との間に水が浸入することを防止するために、周縁部１４を例えばシリコンや目地部材等のシーリング材３１で水密的にシールするシール部３０が設けられている。
【００６１】
このシーリング材３１が設けられたクッション層３の周縁部１４は硬質であり、その周縁部１４に荷重がかかっても厚さ方向（鉛直方向）に大きく撓むことがなく、また撓むことがないため、撓んだ（沈み込んだ）状態から上方に大きく復元することもない。すなわち、周縁部１４が上下に大きく変動することがない。したがって、その周縁部１４に設けられたシーリング材３１を引っ張ったり、浮き上がらせるような大きな応力が作用せず、シーリング材３１が切れたり、外れたりすることがない。この結果、シール性及び見栄えを損ねない。
【００６２】
したがって、本実施形態においても、洗い場床に柔らかさを付与しつつ、且つ、基材層２１とクッション層３との間に水が浸入しないようにするためのシーリング材３１が、長期に使用しても切れたり外れたりすることのない洗い場床を提供することができる。
【００６３】
また、本実施形態においても、基材層２１はシンプルな浅底パン形状であるため、既存の浴室ユニットを解体して洗い場床を交換することなく、既存の洗い場床パンをそのまま流用でき、容易に本実施形態の構造を適用可能である。
【００６４】
また、シール部３０の外方側には壁パネル５０を載置するための壁パネル載置部２２ｂが設けられている。基材部２２の上面部２２ａの上面において、縁部材２３が設けられた部分と側壁部２４との間の部分が壁パネル載置部２２ｂとして機能する。
【００６５】
シーリング材３１は、クッション層３の周縁部１４と基材層２１との間、および壁パネル５０と基材層２１との間を兼用して水密的にシールする。シーリング材３１は、浴室全体の意匠性を損ねてしまうという問題と、シーリング材３１にカビなどの汚れが付着して意匠性を損ねてしまうという問題と、シリコンが切れたり、目地部材が外れたりするという問題があるため、極力、少なくすることが求められる。本実施形態においても、クッション層３の周縁部１４と基材層２１との間のシールと、壁パネル５０と基材層２１との間のシールとを、同じ１箇所のシール部３０で行うため一つのシーリング材３１を兼用でき、シーリング材３１が１個で済み、上記問題を抑制できる。
【００６６】
壁パネル５０は、硬質の基材部２２の一部分である壁パネル載置部２２ｂの上に載置され、クッション層３の上に載置されていないため、クッション層３のメンテナンス（交換）の際に浴室ユニットを解体しなくても済む。また、クッション層３の弾性変形によって壁パネル５０が傾くなどして、壁パネル５０及びその上の天井パネルの支持が不安定になることがない。
【００６７】
［第５の実施形態］
図７は、本発明の第５の実施形態に係る浴室用洗い場床の模式断面図である。なお、前述した実施形態と同様の構成要素には同じ符号を付しその詳細な説明は省略する。
【００６８】
本実施形態では、第１の実施形態における基材層１の上面部（底面部）上に、その上面部とは別体に硬質の縁部材６２が設けられ、この縁部材６２の内側に凹部２が形成されている。
【００６９】
そして、クッション層３の周縁部４ｂは、クッション部４ａを介さずに縁部材６２の上面に積層され接着固定されている。その周縁部４ｂには、クッション層３と縁部材６２との間に水が浸入することを防止するために、その部分をシーリング材６１で水密的にシールするシール部６０が設けられている。本実施形態では、シーリング材６１は、基材層１の縁部６の内周面と、縁部材６２の外周面との間に押し込まれて挿入された硬質の目地部材である。
【００７０】
本実施形態においても、シーリング材６１近傍の周縁部４ｂは、クッション部４ａを介さずに硬質の縁部材６２の上面に接着固定さているため、その周縁部４ｂに荷重がかかっても厚さ方向に大きく撓むことがなく、また撓むことがないため、撓んだ（沈み込んだ）状態から上方に大きく復元することもない。すなわち、周縁部４ｂが上下に大きく変動することがない。したがって、その周縁部４ｂ近傍のシーリング材６１を引っ張ったり、浮き上がらせるような大きな応力が作用せず、シーリング材６１が切れたり、外れたりすることがない。
【００７１】
したがって、本実施形態においても、洗い場床に柔らかさを付与しつつ、且つ、基材層１とクッション層３との間に水が浸入しないようにするためのシーリング材６１が、長期に使用しても切れたり外れたりすることのない洗い場床を提供することができる。
【００７２】
縁部材６２より外方側の基材層１の縁部６の上面は、壁パネル５０が載置される壁パネル載置部６ａとして機能する。そして、壁パネル５０と縁部６との間には例えばシリコンや目地部材等のシーリング材６５が設けられ、そのシーリング材６５によって、壁パネル５０と縁部６との間に水が浸入することが防止される。
【図面の簡単な説明】
【００７３】
【図１】本発明の第１の実施形態に係る浴室用洗い場床の模式断面図。
【図２】図１に示す洗い場床における基材層の模式平面図。
【図３】本発明の実施形態に係る洗い場床におけるクッション層表面の拡大図。
【図４】本発明の第２の実施形態に係る浴室用洗い場床の模式断面図。
【図５】本発明の第３の実施形態に係る浴室用洗い場床の模式断面図。
【図６】本発明の第４の実施形態に係る浴室用洗い場床の模式断面図。
【図７】本発明の第５の実施形態に係る浴室用洗い場床の模式断面図。
【符号の説明】
【００７４】
１…基材層、２…凹部、３…クッション層、４ａ…クッション部、４ｂ…クッション層の周縁部、６…基材層の縁部、６ａ…壁パネル載置部、１０…シール部、１１…シーリング材、２１…基材層、２３…縁部材、２５…凹部、２６…縁部材、３０…シール部、３１…シーリング材、４０…第二シール部、４２…第一シール部、５０…壁パネル
【図１】
0005354247.tif 000002
【図２】
0005354247.tif 000003
【図３】
0005354247.tif 000004
【図４】
0005354247.tif 000005
【図５】
0005354247.tif 000006
【図６】
0005354247.tif 000007
【図７】
0005354247.tif 000008